【手続補正書】
【提出日】平成16年10月4日(2004.10.4)
【手続補正１】
【補正対象書類名】明細書
【補正対象項目名】００６４
【補正方法】変更
【補正の内容】
【００６４】
このような接続関係とされる一実施形態において、ＡＣ／ＤＣコンバータ３は、例えば、他励式のフォワード・コンバータの構成とされ、漏電遮断器２を介して入力された商用電源電圧（ＡＣ１００Ｖ）を１２Ｖの安定化された直流電圧に変換して出力する。このＡＣ／ＤＣコンバータ３の出力が無停電化部５に供給されることにより、充電回路１５が動作し、バッテリパック１６の二次電池に対して定電流によりトリクル充電が実施される。また、これに並行してＡＣ／ＤＣコンバータ３の出力がＤＣ／ＤＣコンバータ６に供給される。


【手続補正２】
【補正対象書類名】明細書
【補正対象項目名】００６９
【補正方法】変更
【補正の内容】
【００６９】
次に、一実施形態における制御系について説明する。図１において８で示される無線受信部には、受信アンテナ８１が接続されており、無線受信部８には、受信アンテナ８１を介して受信されたＲＦ信号が供給される。


【手続補正３】
【補正対象書類名】明細書
【補正対象項目名】００７６
【補正方法】変更
【補正の内容】
【００７６】
通信部５４は、専用のプロセッサ、パラレル／シリアル変換回路、シリアル／パラレル変換回路、バッファ回路、ドライバ及びレシーバ等を含み、ＣＰＵ５１に対して並列処理可能に構成され、ＣＰＵ５１からの制御情報に応じて各メモリに対して独立してアクセスし、通信に係わる各種処理を実行する。この通信部５４と、前述した分電端子盤４の端子４０７，４０８とが配線により接続され、平衡型通信路による外部バスが構成される。このため、通信部５４，外部バス及びコネクタ４６６〜４７０の何れかとを介して接続される同様の通信機能を有した機器の制御部と、制御部７との間において双方向にデータの送受信が可能とされている。


【手続補正４】
【補正対象書類名】明細書
【補正対象項目名】０１０３
【補正方法】変更
【補正の内容】
【０１０３】
つまり、一実施形態に係わる配電装置においては、３つの運転モードが用意されており、固定設定運転処理，自動更新運転処理もしくは手動運転処理のいずれかの処理がなされ、ステップＳ８に移行する。


【手続補正５】
【補正対象書類名】明細書
【補正対象項目名】０１０６
【補正方法】変更
【補正の内容】
【０１０６】
図６及び図７は、上述した一実施形態における自動更新運転処理の処理手順を示す一例としての概略フローチャートである。なお、図６における各ステップには、参照符号としてステップＳ３１〜ステップＳ５２が付され、図７における各ステップには、参照符号としてステップＳ６１〜ステップＳ８０が付されている。


【手続補正６】
【補正対象書類名】明細書
【補正対象項目名】０１２１
【補正方法】変更
【補正の内容】
【０１２１】
一方、上述したステップＳ３３〜ステップＳ３９及びステップＳ６１〜ステップＳ６３の処理が繰り返され、ステップＳ３７において、復旧時刻ＲＴに現在時刻が到達したと判定された場合には、ステップＳ４３に移行する。


【手続補正７】
【補正対象書類名】明細書
【補正対象項目名】０１２４
【補正方法】変更
【補正の内容】
【０１２４】
一方、上述したステップＳ３３〜ステップＳ３９及びステップＳ６１〜ステップＳ６３の処理が繰り返され、ステップＳ３８において、退避時刻ＥＴに現在時刻が到達したと判定された場合には、ステップＳ４５に移行する。


【手続補正８】
【補正対象書類名】明細書
【補正対象項目名】０１２７
【補正方法】変更
【補正の内容】
【０１２７】
一方、上述したステップＳ３３〜ステップＳ３９及びステップＳ６１〜ステップＳ６３の処理が繰り返され、ステップＳ３９において、遮断時刻ＯＦＴに現在時刻が到達したと判定された場合には、ステップＳ４８に移行する。


【手続補正９】
【補正対象書類名】明細書
【補正対象項目名】０１３１
【補正方法】変更
【補正の内容】
【０１３１】
このような警告通知の状態においては、所定の手順にて強制的な遮断を許可する入力操作がなされるか、若しくは、所定情報ＩＦ１の取得動作を再度実行する入力操作がなされ、所定情報ＩＦ１が取得された場合においてのみステップＳ５１に移行し、警告通知の状態が解除される。なお、警告通知の状態に移行して時刻情報Ｓを取得した場合には、図示せずもステップＳ５１を経ることなくステップＳ６４に移行する。


【手続補正１０】
【補正対象書類名】明細書
【補正対象項目名】０１３２
【補正方法】変更
【補正の内容】
【０１３２】
ステップＳ４９またはステップＳ５０からステップＳ５１に移行した場合には、図８に示されるように特徴的な遮断処理が実行される。具体的には、記憶蓄積された各機器の動作履歴を示す動作情報を所定区間で切り出し、所定の日数単位で複数セットの時刻Ｔから所定時間前の時刻Ｔ０までの時間帯（Ｔ０〜Ｔ）の負荷の動作区間Ｔ１を認識すると共に、動作区間Ｔ１の時間帯（Ｔ０〜Ｔ）当たりの専有率を判定し、さらに、非動作区間が（２Ｍ＋α）以上継続した場合に負荷の非動作区間として認識する。


【手続補正１１】
【補正対象書類名】明細書
【補正対象項目名】０１３４
【補正方法】変更
【補正の内容】
【０１３４】
一方、上述したステップＳ３３〜ステップＳ３９及びステップＳ６１〜ステップＳ６３の処理が繰り返され、ステップＳ６１において、機器ＸまたはＹの動作開始のタイミングを示す時刻情報Ｓを取得したと判定された場合には、ステップＳ６４に移行する。


【手続補正１２】
【補正対象書類名】明細書
【補正対象項目名】０１４１
【補正方法】変更
【補正の内容】
【０１４１】
なお、（Ａ＝１）にセットされていないで、動作開始のタイミングを示す時刻情報Ｓを取得する場合とは、他の電源電圧が常時供給されている機器、または、電池により駆動する機器の内で、前述した外部バスを介した通信機能もしくは無線受信部８に対応した無線送信機能を有するものからの制御指示によりスイッチ１２をオンして電源電圧を投入し、指定される機器を動作状態とする場合である。このように他の機器から動作状態にする場合には、スイッチをオンさせる制御指示を送信して指定される機器を待機状態とした後、それに続いて負荷側の機器を特定する識別情報と、その機器の動作開始または終了を示す情報とを含む制御情報を所定の通信経路を介して配電装置側に送信する。


【手続補正１３】
【補正対象書類名】明細書
【補正対象項目名】０１４３
【補正方法】変更
【補正の内容】
【０１４３】
一方、上述したステップＳ３３〜ステップＳ３９及びステップＳ６１〜ステップＳ６３の処理が繰り返され、ステップＳ６２において、機器ＸまたはＹの動作終了のタイミングを示す時刻情報Ｅを取得したと判定された場合には、ステップＳ７３に移行する。


【手続補正１４】
【補正対象書類名】明細書
【補正対象項目名】０１４８
【補正方法】変更
【補正の内容】
【０１４８】
一方、上述したステップＳ３３〜ステップＳ３９及びステップＳ６１〜ステップＳ６３の処理が繰り返され、ステップＳ６３において、機器Ｘ及びＹの所定情報ＩＦ１が取得されたと判定された場合には、ステップＳ７８に移行する。


【手続補正１５】
【補正対象書類名】明細書
【補正対象項目名】０１５４
【補正方法】変更
【補正の内容】
【０１５４】
図８は、上述した遮断処理（ステップＳ５１）の処理手順を示す概略フローチャートである。図８における各ステップには、参照符号としてステップＳ８１〜ステップＳ９０，ステップＳ９２〜ステップＳ１０１が付されている。


【手続補正１６】
【補正対象書類名】明細書
【補正対象項目名】０１６７
【補正方法】変更
【補正の内容】
【０１６７】
また、上述したステップＳ８４において、非動作区間が存在しないと判定された場合には、ステップＳ８５に移行し、時刻Ｔから所定時間前の時刻Ｔ０までの時間帯（Ｔ０〜Ｔ）で規定される区間長Ｔ０と、ステップＳ８２において認識された動作区間Ｔ１とが等しいか否かが判定され、（Ｔ０＝Ｔ１）であると判定された場合、即ち、時刻Ｔから所定時間前の時刻Ｔ０までの時間帯（Ｔ０〜Ｔ）にわたって負荷の動作が継続している場合には、ステップＳ１００に移行する。


【手続補正１７】
【補正対象書類名】明細書
【補正対象項目名】０１８０
【補正方法】変更
【補正の内容】
【０１８０】
ステップＳ８３において図９（Ｆ）に示すように反転パターンが生成され、反転パターンにおいて、（２Ｍ＋α）以上連続する区間が存在する場合には、ステップＳ８７において、２４時間前の反転パターンの値が判定される。従って、図９（Ｆ）に示すように反転パターンが０の場合には、図９（Ｇ）に示すようにスイッチ１２がオフされる。


【手続補正１８】
【補正対象書類名】明細書
【補正対象項目名】０１８８
【補正方法】変更
【補正の内容】
【０１８８】
そして、これらの設定情報の各時刻に基づいて処理がなされ、遮断処理におけるステップＳ９７及び時刻情報Ｅを取得したと判定された場合の一連の処理過程の最後段のステップＳ８０において、制御用のパラメータＮが（Ｎ＝０）のまま維持される。このため、設定情報が自動更新されることなく固定され、繰り返して固定設定運転処理がなされる。なお、この場合においても時刻情報Ｓ及びＥの記憶蓄積と、動作履歴を示す動作情報の蓄積とがなされ、その蓄積された動作情報に基づいて必要に応じて更新時刻情報の自動更新が内部的には継続される。


【手続補正１９】
【補正対象書類名】明細書
【補正対象項目名】０１９０
【補正方法】変更
【補正の内容】
【０１９０】
このように一実施形態に係わる配電装置においては、３つの運転モードが用意されており、固定設定運転処理または自動更新運転処理の場合においては、各機器の設定情報等を退避させて常に配電装置の制御部７において保持することができ、この保持された情報を電源の再投入後において再度機器側に転送することで迅速に電源遮断前の状態に復旧させることができる。また、停電が発生し、電源が復旧した場合においても同様に迅速に機器を停電前の状態に復旧させることが可能になる。


【手続補正２０】
【補正対象書類名】明細書
【補正対象項目名】０１９６
【補正方法】変更
【補正の内容】
【０１９６】
従って、上述したように構成される一実施形態は、以下の効果を奏する。先ず、その第１の効果は、負荷の動作履歴を蓄積し、その蓄積された情報に基づいて動作区間及び非動作区間の状況を認識し、その認識結果に応じて動作を決定するため、過去の動作履歴や動作状況を考慮した制御を実施することが可能になる点にある。


【手続補正２１】
【補正対象書類名】明細書
【補正対象項目名】０２１１
【補正方法】変更
【補正の内容】
【０２１１】
また、上述した一実施形態においては、分電端子盤４の前段にスイッチ１２及び１４を設ける場合について説明したが、後段側の配線のそれぞれにスイッチを挿入するようにし、それぞれ別個に制御するようにしても良く、また、分電端子盤４の後段で配線を分岐して支線の先に複数の接続部をさらに増設するようにしても良い。さらに、常時商用電源が供給される電源ラインを幹線とし、分電端子盤４の後段において同様の構成の配電装置を必要に応じて増設するようにしても良い。


【手続補正２２】
【補正対象書類名】図面
【補正対象項目名】図７
【補正方法】変更
【補正の内容】
【図７】
2003299265.tif 000001